(57)【特許請求の範囲】
【請求項１】
浴槽エプロンの下端部を、防水パンの浴槽設置部と洗い場との境界部から立ち上げた堰部に取り外し可能に載設し、
浴槽エプロンの下端部の一部又は全部に落下防止部材を設け、
前記落下防止部材は、
前記浴槽エプロンの下端部に固定又は一体に設けられる固定片と、
この固定片よりも上方に配置されると共にこの固定片よりも後方に突出して防水パンの堰部に引掛け可能な掛止片と
を有しており、
この落下防止部材は、前記掛止片が前記堰部に引掛けられると、前記浴槽エプロンの下端部と前記防水パンの洗い場の底面との間に、手指を挟むのを防止するための隙間を形成するものであり、これにより、前記浴槽エプロンの取り外し時に前記浴槽エプロンの下端部が前記堰部から前記防水パンへ落下するのを防止するものである
ことを特徴とする浴槽エプロンの取付構造。
【発明の詳細な説明】
【技術分野】
【０００１】
本発明は、浴槽エプロンの取付構造に関し、詳しくは浴槽エプロンの取り外しを安全に行なえるようにするための技術に関するものである。
【背景技術】
【０００２】
従来から、浴槽エプロンの取付構造として様々なものが提案され実施されているが、その一つとして防水パンの浴槽設置部と洗い場との境界部に沿って立上る水切用の堰部を利用して浴槽エプロンの下端部を取り付ける構造が一般的である（例えば、特許文献１参照）。
【０００３】
ところで、防水パン３の浴槽設置部や浴槽排水口等の清掃は浴槽エプロン２を取り外して行なわれるが、浴槽エプロン２は重量物であるため、浴槽エプロン２の下端部２ｂの取り外しに関して以下の問題がある。すなわち、図３（ａ）→（ｂ）のように浴槽エプロン２の下端部２ｂを手前（洗い場側）に引き寄せて堰部４から取り外す際に、図３（ｂ）の矢印イで示すように下端折り返し部１３が堰部４から防水パン３上にいきなり落下するおそれがあり、このとき、作業者の手Ｂが浴槽エプロン２と防水パン３との間で挟まれる虞れがあった。
【特許文献１】特開平１１−３１３７７３号公報
【発明の開示】
【発明が解決しようとする課題】
【０００４】
本発明は上記の従来の問題点に鑑みて発明したものであって、浴槽エプロンの下端部を防水パンの堰部から安全に取り外すことができる浴槽エプロンの取付構造を提供することを課題とするものである。
【課題を解決するための手段】
【０００５】
前記課題を解決するために本発明は、浴槽エプロン２の下端部２ｂを、防水パン３の浴槽設置部１０と洗い場６との境界部から立ち上げた堰部４に取り外し可能に載設し、浴槽エプロン２の下端部２ｂの一部又は全部に落下防止部材５を設け、前記落下防止部材５は、前記浴槽エプロン２の下端部に固定又は一体に設けられる固定片５ａと、この固定片５ａよりも上方に配置されると共にこの固定片５ａよりも後方Ａに突出して防水パン３の堰部４に引掛け可能な掛止片５ｃとを有しており、この落下防止部材５は、前記掛止片５ｃが前記堰部４に引掛けられると、前記浴槽エプロン２の下端部と防水パン３の洗い場６の底面との間に、手指を挟むのを防止するための隙間を形成するものであり、これにより、前記浴槽エプロン２の取り外し時に前記浴槽エプロン２の下端部が前記堰部４から前記防水パン３へ落下するのを防止するものであることを特徴としている。
【０００６】
このような構成とすることで、浴槽エプロン２の下端部２ｂを堰部４から取り外す際に、浴槽エプロン２の下端部２ｂに設けた落下防止部材５によって浴槽エプロン２の下端部２ｂが堰部４から防水パン３上へいきなり落下することがないので、重量物である浴槽エプロン２と防水パン３との間で手や指を挟んでしまう危険がなくなり、浴槽エプロン２の取り外し作業を安全に行なうことができる。
【０００７】
また、浴槽エプロン２の下端部２ｂの取り付けの際には、固定片５ａよりも上方に配置された掛止片５ｃが堰部４に当たらないようにして、浴槽エプロン２の下端部２ｂを堰部４にスムーズに載設することができ、一方、取り外す際は浴槽エプロン２の下端部２ｂが堰部４から外れた直後に掛止片５ｃが堰部４に引っ掛かるようになるので、浴槽エプロン２の下端部２ｂが堰部４から防水パン３上へいきなり落下することを確実に防止できる。
【発明の効果】
【０００８】
本発明は、浴槽エプロンの下端部に落下防止部材を設けたことにより、浴槽エプロンの下端部を堰部から安全に取り外すことができるものである。
【発明を実施するための最良の形態】
【０００９】
以下、本発明を添付図面に示す実施形態に基いて説明する。
【００１０】
図１は浴槽エプロン２の下端部２ｂを取り外す手順の一例を示している。
【００１１】
浴槽１の上端には、図２に示すように、外側へ略水平に突出した浴槽フランジ７が形成されており、この浴槽フランジ７には外端から垂下した垂下部８が設けられると共に、垂下部８よりも内側に下方に開口した嵌入凹部９が形成されている。
【００１２】
浴槽エプロン２の上端部２ａには、浴槽フランジ７の嵌入凹部９に下方から差し込まれる差込片１１が突設されており、この差込片１１にはガタつき防止のための弾性体１２が固着されている。なお浴槽エプロン２の上端部２ａの係止構造は図２に限定されるものではなく、適宜設計変更自在である。
【００１３】
防水パン３には、図１（ａ）に示すように、浴槽１を設置する浴槽設置部１０と洗い場６との境界部から堤防状の堰部４が立設されている。
【００１４】
浴槽エプロン２の下端部２ｂには堰部４に設置される下端折り返し部１３が設けられている。図中の１４は補強用リブ、１５は浴槽エプロン２の高さを調整するための高さ調整ネジである。
【００１５】
上記浴槽エプロン２の下端折り返し部１３の上面には落下防止部材５が取り付けられている。落下防止部材５は、浴槽エプロン２の取り外し時に浴槽エプロン２の下端部２ｂが堰部４から防水パン３上へ落下するのを防止するためのものであり、図１（ａ）に示すように、下端折り返し部１３の上面に固定される固定片５ａと、固定片５ａの先端から上方に立ち上がる立上り片５ｂと、立上り片５ｂの上端から後方Ａに突出する掛止片５ｃとが断面略Ｚ字形に一体形成されている。本例では落下防止部材５は浴槽エプロン２とは別体で構成され、固定片５ａが下端折り返し部１３に対して例えば高さ調整ネジ１５（又は図示しない別のネジ等）で固着されている。
【００１６】
次に、浴槽エプロン２を取り付ける場合は、最初に洗い場６側から浴槽エプロン２の上端部２ａを図２に示す浴槽フランジ７の嵌入凹部９に差し込み、この状態で、上端部２ａを回動支点として浴槽エプロン２の下端部２ｂを後方Ａに回動させて、浴槽エプロン２の下端折り返し部１３を防水パン３の堰部４上面に載せる。このとき、高さ調整ネジ１５の頭部が堰部４の上面４ａに支持され且つ補強用リブ１４の先端が堰部４の前面に当たることで、浴槽エプロン２の下端部２ｂが後方Ａへの移動が規制された状態で堰部４の上面４ａに据え置き設置される。なお、浴槽エプロン２の高さを調整する場合は、高さ調整ネジ１５を回転させてその頭部の突出量を変えることによって、堰部４に対して浴槽エプロン２の高さを任意に調整可能となる。
【００１７】
次に、上記浴槽エプロン２を取り外す場合は、浴槽エプロン２の下端部２ｂを洗い場６側（図１（ａ）の右側）に引き寄せて、図１（ｂ）のように下端折り返し部１３を堰部４から離脱させる。このとき、浴槽エプロン２の下端折り返し部１３が堰部４から外れた直後に、図１（ｂ）のように落下防止部材５の掛止片５ｃが堰部４に引っ掛かるので、浴槽エプロン２の下端部２ｂがいきなり防水パン３上に落下することがない。この状態からさらに浴槽エプロン２の下端部２ｂを洗い場６側に引き寄せることによって、図１（ｃ）の仮想線で示すように掛止片５ｃを堰部４から外すことができ、浴槽エプロン２の下端部２ｂの取り外しができる。その後、浴槽エプロン２の上端部２ａを浴槽フランジ７の嵌入凹部９から抜き取るようにする。
【００１８】
しかして、上記落下防止部材５によって、浴槽エプロン２の取り外し時に重量物である浴槽エプロン２と防水パン３との間で手や指を挟んでしまう危険がなくなるので、浴槽エプロン２の取り外し作業を安全に行なうことができる。また、落下防止部材５を浴槽エプロン２の下端部２ｂの全長に亘って設けた場合は、堰部４に対する掛止片５ｃの引っ掛かりの安定性が良好となり、安全性が一層向上するものである。なお、落下防止部材５を浴槽エプロン２の下端部２ｂの全長ではなく一部に設けてもよいものである。
【００１９】
また本例の落下防止部材５は、固定片５ａと立上り片５ｂと掛止片５ｃとが断面Ｚ字状に形成されているので、掛止片５ｃは固定片５ａよりも上方に配置されるようになり、従って、浴槽エプロン２の下端部２ｂの取り付け時に、掛止片５ｃが堰部４に当たらないようにして、浴槽エプロン２の下端部２ｂの下端折り返し部１３を洗い場６側から堰部４の上面４ａに載設することができ、取り付け作業をスムーズにできる利点がある。さらに固定片５ａを、浴槽エプロン２の高さを調整する高さ調整ネジ１５を用いて下端折り返し部１３に固着しているので、ネジの数の増加を防止できる利点もある。
【００２０】
さらに本例では落下防止部材５を浴槽エプロン２と別体で構成しているので、既存の浴槽エプロン２をそのまま使用でき、これに落下防止部材５を後付けするだけでよいため、浴槽エプロン２の設計変更が不要となり、生産性の低下やコストアップを防止できる利点もある。なお、落下防止部材５を樹脂成形等によって浴槽エプロン２と一体形成してもよいものであり、この場合、落下防止部材５の取り付けの手間が省かれ、部品数が減少して浴槽エプロン２の構造を簡素化できる利点が得られる。
【図面の簡単な説明】
【００２１】
【図１】本発明の一実施形態であり、（ａ）は浴槽エプロンの下端部を堰部に載設した状態を示し、（ｂ）は落下防止部材の掛止片が堰部に掛止した状態を示し、（ｃ）は落下防止部材の掛止片を堰部から外した状態を説明する側面図である。
【図２】同上の浴槽エプロンの上端部を浴槽フランジの嵌入凹部に差し込んだ状態の説明図である。
【図３】従来の浴槽エプロンの下端部を堰部から取り外す場合の一例を示し、（ａ）は浴槽エプロンの下端部を堰部に載設した状態を示し、（ｂ）は浴槽エプロンの下端部が堰部から防水パン上へ落下する状態を説明する側面図である。
【符号の説明】
【００２２】
１  浴槽
２  浴槽エプロン
２ｂ  下端部
３  防水パン
４  堰部
５  落下防止部材
５ａ  固定片
５ｂ  立上り片
５ｃ  掛止片
【図１】
0005712363.tif 000002
【図２】
0005712363.tif 000003
【図３】
0005712363.tif 000004